(57)【特許請求の範囲】
【請求項１】
複数の呼処理プロセッサを備え、各呼処理プロセッサは、対応する無線制御エリアに対する発信または着信による無線チャネルを確立し、移動機の無線制御エリア間の移動により、他の無線制御エリアでの無線チャネルの切替制御を行うチャネル切替方法において、
最初に発信または着信を受け付けた呼処理プロセッサは、移動機が他の呼処理プロセッサが収容する無線制御エリアへ移動しても、新たな無線チャネルの確立制御および交換機内の通話路パス制御、旧チャネルの解放制御を行う呼制御プロセッサとして動作し、移動機の在圏無線制御エリアを収容する呼処理プロセッサからの無線チャネル切替要求により、移動先の無線制御エリアを収容する呼処理プロセッサに対して、プロセッサ間通信によりチャネル切替のための新たな無線チャネルの確立を行うことを要求することを特徴とするチャネル切替方法。
【請求項２】
複数の呼処理プロセッサを備え、前記呼処理プロセッサは、それぞれ対応する無線制御エリアを収容し、この無線制御エリアに在圏する移動機が他の無線制御エリアに移動したときに無線チャネルの切替制御を行う制御手段を備えた移動通信交換機において、
最初に発信または着信を受け付けた呼処理プロセッサは、移動機が他の呼処理プロセッサが収容する無線制御エリアへ移動しても、新たな無線チャネルの確立制御および交換機内の通話路パス制御、旧チャネルの解放制御を行う呼制御プロセッサとして動作し、当該呼処理プロセッサの前記制御手段は、無線制御エリアを移動する移動機の無線チャネル切替制御を、在圏中の無線制御エリアを収容する呼処理プロセッサからの無線チャネル切替要求を受け付け、移動先の無線制御エリアを収容する呼処理プロセッサに対して新たな無線チャネル確立を交換機内のプロセッサ間通信により要求する手段を備えることを特徴とする移動通信交換機。
【請求項３】
複数のプロセッサを備えた交換機にインストールされることにより、
前記プロセッサを、無線制御エリアを収容し、この無線制御エリアに在圏する移動機が他の無線制御エリアに移動したときに無線チャネルの切替制御を行う呼処理プロセッサとして動作させ、
最初に発信または着信を受け付けた呼処理プロセッサを、移動機が他の呼処理プロセッサが収容する無線制御エリアへ移動しても、新たな無線チャネルの確立制御および交換機内の通話路パス制御、旧チャネルの解放制御を行う呼制御プロセッサとして動作させ、無線制御エリアを移動する移動機の無線チャネル切替制御を、在圏中の無線制御エリアを収容する呼処理プロセッサからの無線チャネル切替要求を受け付け、移動先の無線制御エリアを収容する呼処理プロセッサに対して新たな無線チャネル確立を交換機内のプロセッサ間通信により要求するプロセッサとして動作させることを特徴とするプログラム。
【請求項４】
複数の呼処理プロセッサを備え、各呼処理プロセッサは、対応する無線制御エリアに対する発信または着信による無線チャネルを確立し、移動機の無線制御エリア間の移動により、他の無線制御エリアでの無線チャネルの切替制御を行うチャネル切替方法において、
最初に発信または着信を受け付けた呼処理プロセッサは、移動機が他の呼処理プロセッサが収容する無線制御エリアへ移動しても、新たな無線チャネルの確立制御および交換機内の通話路パス制御、旧チャネルの解放制御を行う呼制御プロセッサとして動作し、移動機の在圏無線制御エリアを収容する呼処理プロセッサからの無線チャネル切替要求により、移動先の無線制御エリアを収容する他の交換機に属する呼処理プロセッサに対して、共通信号線トランクを介してチャネル切替のための新たな無線チャネルの確立を行うことを要求することを特徴とするチャネル切替方法。
【請求項５】
複数の呼処理プロセッサを備え、前記呼処理プロセッサは、それぞれ対応する無線制御エリアを収容し、この無線制御エリアに在圏する移動機が他の無線制御エリアに移動したときに無線チャネルの切替制御を行う制御手段を備えた移動無線交換機において、
最初に発信または着信を受け付けた呼処理プロセッサは、移動機が他の呼処理プロセッサが収容する無線制御エリアへ移動しても、新たな無線チャネルの確立制御および交換機内の通話路パス制御、旧チャネルの解放制御を行う呼制御プロセッサとして動作し、当該呼処理プロセッサの前記制御手段は、無線制御エリアを移動する移動機の無線チャネル切替制御を、在圏中の無線制御エリアを収容する呼処理プロセッサからの無線チャネル切替要求を受け付け、移動先の無線制御エリアを収容する他の交換機の呼処理プロセッサに対して新たな無線チャネル確立を共通信号線トランクを介して要求する手段を備えることを特徴とする移動通信交換機。
【請求項６】
複数のプロセッサを備えた交換機にインストールされることにより、
前記プロセッサを、それぞれ対応する無線制御エリアを収容し、この無線制御エリアに在圏する移動機が他の無線制御エリアに移動したときに無線チャネルの切替制御を行う呼処理プロセッサとして動作させ、
最初に発信または着信を受け付けた呼処理プロセッサを、移動機が他の呼処理プロセッサが収容する無線制御エリアへ移動しても、新たな無線チャネルの確立制御および交換機内の通話路パス制御、旧チャネルの解放制御を行う呼制御プロセッサとして動作させ、無線制御エリアを移動する移動機の無線チャネル切替制御を、在圏中の無線制御エリアを収容する呼処理プロセッサからの無線チャネル切替要求を受け付け、移動先の無線制御エリアを収容する他の交換機の呼処理プロセッサに対して新たな無線チャネル確立を共通信号線トランクを介して要求させるプロセッサとして動作させることを特徴とするプログラム。
【発明の詳細な説明】
【０００１】
【発明の属する技術分野】
本発明は移動通信方式での無線チャネル切替制御に関する。本発明は、多数の無線制御エリアを収容する大容量ディジタル移動通信交換機（ＮＭＬＳ）に利用される。
【０００２】
【従来の技術】
従来のＰＤＣ（ Personal Digital Cellular Telecommunication System ）方式における加入者交換機能、中継交換機能、関門交換機能を包含して多数の無線制御エリアを収容する大容量ディジタル移動通信交換機が開発された。
【０００３】
従来のディジタル移動通信交換機では、加入者交換機能、中継交換機能を実現するために複数のプロセッサを備えたマルチプロセッサ構成であるが、そのプロセッサでの呼処理等の処理分担は、プロセッサ負荷分散方式が採られていた。つまり、例えば起呼−チャネル確立−チャネル解放等の呼制御を行う呼処理プロセッサの処理は、それぞれの呼処理プロセッサが、自交換機が収容する全無線制御エリア（基地局）をどの呼処理プロセッサでも処理できるものである。
【０００４】
【発明が解決しようとする課題】
しかし、プロセッサ負荷分散方式では、一つの交換機内の全呼処理プロセッサで同一の基地局、無線通話回線を収容管理しなければならず、プロセッサ毎に基地局、無線通話回線を分散して収容することができないため、１交換機内に収容できる基地局数、無線通話回線数に限界があった。また、基地局数、無線通話回線数の収容拡大を目的とした大容量ディジタル移動通信交換機で、従来方式のプロセッサ負荷分散方式に代えて、各プロセッサで分散して基地局を収容するマルチプロセッサ方式を採用した場合、１交換機エリア内で収容する異なる基地局間を移動機が移動した場合には、通話を継続させるためにはプロセッサ間でのチャネル切替を行う必要がある。さらに、大容量ディジタル移動通信交換機では、エリアを拡大し、収容可能無線チャネル数が増大すると、トラヒックが増加するため、交換機の処理能力に対する影響が大きくなる。このため、マルチプロセッサのチャネル切替元プロセッサとチャネル切替先プロセッサとの間で発生する切替制御を交換機内部のリソースを有効に利用して切替制御の負荷を増大させることなく、ソフトウェアにより効率的に処理できるチャネル切替制御技術が求められていた。
【０００５】
本発明は、このような課題を解決するもので、マルチプロセッサ方式のディジタル移動通信交換機において、エリアの拡大、無線チャネル数の増大、トラヒックの増大に対応してリソースを有効に利用できる方法および装置を提供することを目的とする。また、本発明は、マルチプロセッサ方式でのチャネル切替制御のソフトウェアによる制御を可能とすることを目的とする。また、本発明は、交換機内だけでなく、他の交換機との間のプロセッサ間においてもリソースを有効に利用してチャネル切替制御を可能とすることを目的とする。
【０００６】
【課題を解決するための手段】
交換機内で異なる呼処理プロセッサに収容される基地局間を移動機が移動してチャネル切替が必要となるときは、呼処理プロセッサ間でチャネル切替を行い通話を継続させる。このとき、発信または着信の初回の無線チャネル確立時に移動機が在圏していた無線制御エリアを収容する呼処理プロセッサ（これを以下呼制御プロセッサという）を固定し、その後、移動機が移動した先の無線制御エリアを収容する呼処理プロセッサを在圏プロセッサとして位置づけ、呼制御プロセッサは通話が終了するまで移動せずに、移動機が他の呼処理プロセッサが収容する無線制御エリアへ移動した際は、呼制御プロセッサが主導となって、新無線チャネルの確立、交換機内の通話路パス制御、旧チャネルの解放制御を行って、移動先の在圏プロセッサに逐次切り替える。この場合、呼制御プロセッサを基点として、切替元プロセッサ（旧在圏プロセッサ）と切替先プロセッサ（新在圏プロセッサ）の最大３プロセッサの間でチャネル切替を行う。チャネル切替完了後は、呼制御プロセッサと在圏プロセッサの２プロセッサ間のプロセッサ間接続制御を行うのみとなる。このように、呼制御プロセッサを固定し、在圏プロセッサを随時切り替えている方式により、交換機内部のリソースの冗長利用と切替処理の複雑化を防止でき、プロセッサ間の通信回数を削減でき、処理能力に対する負荷を軽減できる。
【０００７】
また、呼制御プロセッサを主導とするプロセッサ間チャネル切替は、一つの交換機内の無線制御エリアを移動した場合のプロセッサ間チャネル切替だけでなく、交換機間をまたがる無線制御エリアを移動した場合にも同様に適用できる。この場合は、交換機内のＨＵＢを利用するプロセッサ間通信ではなく、共通信号線を利用した他の交換機の呼処理プロセッサとの間で、プロセッサ間通信を行ってチャネル切替制御を行えばよい。
【０００８】
さらに、マルチプロセッサ方式の移動通信用交換機にプログラムをインストールすることによりこれらのチャネル切替制御を実行させることができる。
【０００９】
すなわち、本発明は、複数の呼処理プロセッサを備え、各呼処理プロセッサは、対応する無線制御エリアに対する発信または着信による無線チャネルを確立し、移動機の無線制御エリア間の移動により、他の無線制御エリアでの無線チャネルの切替制御を行うチャネル切替方法において、最初に発信または着信を受け付けた呼処理プロセッサは、移動機の在圏無線制御エリアを収容する呼処理プロセッサからの無線チャネル切替要求により、移動先の無線制御エリアを収容する呼処理プロセッサに対して、プロセッサ間通信によりチャネル切替のための新たな無線チャネルの確立を行うことを要求することを特徴とする。
【００１０】
また、本発明は、複数の呼処理プロセッサを備え、前記呼処理プロセッサは、それぞれ対応する無線制御エリアを収容し、この無線制御エリアに在圏する移動機が他の無線制御エリアに移動したときに無線チャネルの切替制御を行う制御手段を備えた移動通信交換機において、最初に発信または着信を受け付けた呼処理プロセッサの前記制御手段は、無線制御エリアを移動する移動機の無線チャネル切替制御を、在圏中の無線制御エリアを収容する呼処理プロセッサからの無線チャネル切替要求を受け付け、移動先の無線制御エリアを収容する呼処理プロセッサに対して新たな無線チャネル確立を交換機内のプロセッサ間通信により要求する手段を備えることを特徴とする。
【００１１】
また、本発明はプログラムであって、複数のプロセッサを備えた交換機にインストールされることにより、前記プロセッサを、無線制御エリアを収容し、この無線制御エリアに在圏する移動機が他の無線制御エリアに移動したときに無線チャネルの切替制御を行う呼処理プロセッサとして動作させ、最初に発信または着信を受け付けた呼処理プロセッサを、無線制御エリアを移動する移動機の無線チャネル切替制御を、在圏中の無線制御エリアを収容する呼処理プロセッサからの無線チャネル切替要求を受け付け、移動先の無線制御エリアを収容する呼処理プロセッサに対して新たな無線チャネル確立を交換機内のプロセッサ間通信により要求するプロセッサとして動作させることを特徴とする。
【００１２】
また、本発明は、複数の呼処理プロセッサを備え、各呼処理プロセッサは、対応する無線制御エリアに対する発信または着信による無線チャネルを確立し、移動機の無線制御エリア間の移動により、他の無線制御エリアでの無線チャネルの切替制御を行うチャネル切替方法において、最初に発信または着信を受け付けた呼処理プロセッサは、移動機の在圏無線制御エリアを収容する呼処理プロセッサからの無線チャネル切替要求により、移動先の無線制御エリアを収容する他の交換機に属する呼処理プロセッサに対して、共通信号線トランクを介してチャネル切替のための新たな無線チャネルの確立を行うことを要求することを特徴とする。
【００１３】
また、本発明は、複数の呼処理プロセッサを備え、前記呼処理プロセッサは、それぞれ対応する無線制御エリアを収容し、この無線制御エリアに在圏する移動機が他の無線制御エリアに移動したときに無線チャネルの切替制御を行う制御手段を備えた移動無線交換機において、最初に発信または着信を受け付けた呼処理プロセッサの前記制御手段は、無線制御エリアを移動する移動機の無線チャネル切替制御を、在圏中の無線制御エリアを収容する呼処理プロセッサからの無線チャネル切替要求を受け付け、移動先の無線制御エリアを収容する他の交換機の呼処理プロセッサに対して新たな無線チャネル確立を共通信号線トランクを介して要求する手段を備えることを特徴とする。
【００１４】
さらに、本発明は、プログラムであって、複数のプロセッサを備えた交換機にインストールされることにより、前記プロセッサを、それぞれ対応する無線制御エリアを収容し、この無線制御エリアに在圏する移動機が他の無線制御エリアに移動したときに無線チャネルの切替制御を行う呼処理プロセッサとして動作させ、最初に発信または着信を受け付けた呼処理プロセッサを、無線制御エリアを移動する移動機の無線チャネル切替制御を、在圏中の無線制御エリアを収容する呼処理プロセッサからの無線チャネル切替要求を受け付け、移動先の無線制御エリアを収容する他の交換機の呼処理プロセッサに対して新たな無線チャネル確立を共通信号線トランクを介して要求させるプロセッサとして動作させることを特徴とする。
【発明の実施の形態】
以下図面を参照して本発明の実施の形態を説明する。
【００１５】
図１は、本発明が実施される交換機（大容量ディジタル移動通信交換機）の呼処理プロセッサと基地局制御装置、基地局制御装置と無線制御エリアの関係を示すものである。
【００１６】
ここで、交換機は複数の基地局を収容して移動機の移動による無線チャネルの切替制御を行っている。基地局制御装置（ＢＣＥ）は、必ずある一つの呼処理プロセッサ（ＣＬＰ）に収容される。ここで、本発明が実施される交換機では、マルチプロセッサ構成を採用しており、複数の基地局制御装置を各呼処理プロセッサ（ＣＬＰ）へ分散して収容する基地局収容構成となっている。移動機利用加入者が、ある基地局制御装置（ＢＣＥ）のカバーするエリアから別の呼処理プロセッサ（ＣＬＰ）に収容される基地局制御装置（ＢＣＥ）のカバーするエリアへ移動した際にも通話を継続可能とし、交換機内で収容呼処理プロセッサ（ＣＬＰ）の異なるエリアを跨り複数回移動した場合に交換機内部リソースを効率的に利用し、且つ交換機の処理能力への影響を極力抑えて通話を継続させるチャネル切替制御を交換機は、プロセッサ間通信により行う。
【００１７】
基地局制御装置（ＢＣＥ）はさらにエリアを細分化した無線制御エリア（ＣＺ）を複数管理している。呼処理プロセッサ１１（＃１）収容の基地局制御装置（ＢＣＥ）１３配下の無線制御エリア（ＣＺ）１５に在圏している移動機利用加入者が、無線制御エリア１５とは呼処理プロセッサが異なる呼処理プロセッサ（＃２）１２収容の基地局制御装置（ＢＣＥ）１４配下のエリア（ＣＺ）１６へ移動した場合に呼処理プロセッサ（ＣＬＰ）１１、１２間を跨って通話チャネルを切り替えて通話状態を保証するために切替制御を行う。
【００１８】
（第一実施例）
図２は本発明の第一実施例における交換機の呼処理プロセッサ（＃１，＃２）と基地局制御装置（ＢＣＥ）、無線制御エリア（ＣＺ）との接続関係を示したものである。図３は、この図２において、無線制御エリア（ＣＺ１４）から無線制御エリア（ＣＺ２１）へ移動した場合のチャネル切替方法を説明するシーケンスである。
【００１９】
ここで、符号２０は交換機のネットワークを示し、呼処理プロセッサの背後にあるスイッチ（ＳＷ）、バス（ＨＵＢ）等を示す。また、符号２１、２２は交換機の呼処理プロセッサであり、この呼処理プロセッサ２１、２２は、それぞれ、接続制御部２１１、２２１、リソース管理部２１２、２２２、パス制御部２１３、２２３を有している。符号２１４は呼処理プロセッサ２１に収容される基地局制御装置（ＢＣＥ）、符号２２４は、呼処理プロセッサ２２に収容される基地局制御装置を示している。符号２１５は無線制御エリアのＣＺ＃１４を、符号２２５は無線制御エリアのＣＺ＃２１を示す。
【００２０】
次に、図２及び図３のシーケンス図を参照して本第一実施例の全体の動作について詳細に説明する。
【００２１】
無線制御エリア(ＣＺ＃１４）２１５に在圏して通信中の移動機が無線制御エリア(ＣＺ＃２１）２２５のゾーンに移動した場合、基地局制御装置２１４から基地局制御装置２２４に対して空き無線チャネルの選択を要求する。基地局制御装置２２４にて自無線制御エリア内の空きチャネルを１つ選択して基地局制御装置２１４へ通知する。基地局制御装置２１４では、選択されたチャネルへの切替を交換機のネットワークへ依頼する為に、現在呼制御を行っている呼処理プロセッサ２１の接続制御部２１１に対して新在圏エリアへのチャネル切替の要求を行う。
【００２２】
ここで、接続制御部２１１では切替先に指定された無線制御エリア（ＣＺ＃２１）２２５の収容される基地局制御装置（ＢＣＥ＃２）２２４を局データ変換により決定する。さらに決定された基地局制御装置の収容される呼処理プロセッサ（＃２）２２を局データ変換より決定する。接続制御部２１１では、決定した新在圏エリアを収容する呼処理プロセッサ＃２の接続制御部２２１に対して新側無線チャネルの確立を行う為に、通話回線の捕捉をプロセッサ間通信により要求する。
【００２３】
接続制御部２２１では、接続制御部２１１から要求された無線チャネルに該当する通話回線の捕捉をリソース管理部２２２に要求する。リソース管理部２２２から通話回線の捕捉結果として交換機のＮＷ内の収容位置情報（例えばインターフェイス番号）を収集し一旦呼処理プロセッサ（＃１）２１の接続制御部２１１へ通知する。接続制御部２１１ではチャネル切替中の通話瞬断を防ぐ為に現在使用中の通話回線と新切替先として捕捉された通話回線をチャネル切替用のトランクを使用してマルチ接続とさせるパス接続要求をパス制御部２１３に対して行う。通話回線のマルチ接続状態が確立したら接続制御部２１１は接続制御部２２１に対して新側無線チャネル確立の実行指示を行う。接続制御部２１１からの無線チャネル確立の指示により接続制御部２２１は、基地局制御装置（ＢＣＥ＃２）２２４に対して無線チャネルの確立を要求する。基地局制御装置（ＢＣＥ＃２）２２４では無線制御エリア２２５に在圏している移動機と基地局制御装置間での無線チャネルの同期確立（無線チャネルの切替）を行う。切替が完了したら基地局制御装置（ＢＣＥ＃２）２２４は接続制御部２２１に対して無線チャネルの設定完了を通知する。２２１接続制御部は接続制御部２１１に対して無線チャネルの設定完了を通知する。
【００２４】
接続制御部２１１は新側への無線チャネルの切替が完了したことで、通話回線パス接続のマルチ接続の解除及び、新側通話回線のみへのパス切替をパス制御部２１３へ要求する。新側通話回線へのパス接続が完了後、基地局制御装置２１４に対して旧側無線チャネルの解放、リソース管理部２１２に対して旧側通話回線の解放を要求する。以上により一連のプロセッサ間チャネル切替が完了する。
【００２５】
（第２実施例）
図４は本発明の第二実施例の構成図を示す。図４に示した無線制御エリア（ＣＺ１４）３１５から無線制御エリア（ＣＺ２１）３２５へ移動した後、さらに無線制御エリア（ＣＺ２１）３２５から無線制御エリア（ＣＺ３１）３３５へ移動した場合に通話継続の為の本発明によるチャネル切替方法を説明する。図５は切替方法を示すシーケンスである。
【００２６】
ここで、図２と同じように、符号３０は交換機のネットワーク、符号３１、３２、３３は交換機の呼処理プロセッサ、符号３１１、３２１、３３１は接続制御部、符号３１２、３２２、３３２はリソース管理部、３１３、３２３、３３３はパス制御部、符号３１４、３２４、３３４は基地局制御装置（ＢＣＥ）、符号３１５、３２５、３３５は無線制御エリア（ＣＺ）を表す。
【００２７】
図５のシーケンスにしたがい、その動作を説明する。
【００２８】
無線制御エリア（ＣＺ＃２１）３２５に在圏して通信中のディジタル移動機が無線制御エリア（ＣＺ＃３１）３３５のゾーンに移動した場合、基地局制御装置３２４から基地局制御装置３３４に対して空き無線チャネルの選択を要求する。基地局制御装置３３４にて自無線制御エリア内の空きチャネルを１つ選択して基地局制御装置３２４へ通知する。
【００２９】
基地局制御装置３２４では、選択されたチャネルへの切替を交換機のネットワーク３０へ依頼する為に、現在呼制御を行っている呼処理プロセッサ３１の接続制御部３１１へ呼処理プロセッサ（＃２）３２を経由して新在圏エリアへのチャネル切替の要求を行う。この際に接続制御部３１１では切替先に指定された無線制御エリア（ＣＺ＃３１）３３５の収容される基地局制御装置（ＢＣＥ＃３）３３４を局データ変換により決定する。さらに決定された基地局制御装置３３４の収容される呼処理プロセッサ（＃３）３３を局データ変換より決定する。
【００３０】
接続制御部３１１では、決定した新在圏エリアを収容する呼処理プロセッサ（＃３）３３の接続制御部３３１に対して新側無線チャネルの確立を行う為に、通話回線の捕捉をプロセッサ間通信により要求する。接続制御部３３１では、接続制御部３１１から要求された無線チャネルに該当する通話回線の捕捉をリソース管理部３３２に要求する。リソース管理部３３２から通話回線の捕捉結果としてＮＷ内の収容位置情報を収集し一旦呼処理プロセッサ（＃１）３１の接続制御部３１１へ通知する。３１１接続制御部ではチャネル切替中の通話瞬断を防ぐ為に現在使用中の通話回線と新切替先として捕捉された通話回線をチャネル切替用のトランクを使用してマルチ接続とさせるパス接続要求をパス制御部３１３に対して行う。通話回線のマルチ接続状態が確立したら接続制御部３１１は接続制御部３３１に対して新側無線チャネル確立の実行指示を行う。
【００３１】
接続制御部３１１からの無線チャネル確立の指示により接続制御部３３１は基地局制御装置（ＢＣＥ＃３）３３４に対して無線チャネルの確立を要求する。基地局制御装置（ＢＣＥ＃３）３３４では無線制御エリア（ＣＺ＃３１)３３５に在圏している移動機と基地局制御装置間での無線チャネルの同期確立（無線チャネルの切替）を行う。
【００３２】
切替が完了したら基地局制御装置（ＢＣＥ＃３）３３４は接続制御部３３１に対して無線チャネルの設定完了を通知する。接続制御部３３１は接続制御部３１１に対して無線チャネルの設定完了を通知する。接続制御部３１１は新側への無線チャネルの切替が完了したことで、通話回線パス接続のマルチ接続の解除及び、新側通話回線のみへのパス切替をパス制御部３１３へ要求する。新側通話回線へのパス接続が完了後、基地局制御装置３２４に対して旧側無線チャネルの解放を行う為に旧在圏エリアを収容している呼処理プロセッサ（＃２）３２の接続制御部３２１に対して無線チャネルの解放の指示を行う。３２１接続制御部では３２４基地局制御装置（ＢＣＥ＃２）に対して旧無線チャネルの切断及び３２２リソース管理部に対して旧側通話回線の解放を要求する。以上により一連のプロセッサ間チャネル切替が完了する。
【００３３】
（第３実施例）
本発明の特徴である初回の「呼制御プロセッサ」を主導としたプロセッサ間チャネル切替方式は、交換機内のエリアを移動した場合のプロセッサ間チャネル切替だけでなく、交換機間を跨るエリアを移動した場合のチャネル切替でも同様に採用できる。
【００３４】
図６は、本発明の第三実施例の構成を示す図であり、異なる交換機間にまたがって無線制御エリアを移動した場合のチャネル切替の例を示す。この図６は、図４に示した無線制御エリア（ＣＺ２１）から無線制御エリア（ＣＺ３１）へ移動した後、さらに無線制御エリア（ＣＺ３１）から他交換機（ＮＷ）のカバーする基地局制御装置（ＢＣＥ＃４）４４４に収容される無線制御エリア（ＣＺ４１）４４５へ移動した場合に通話継続の為の本発明によるチャネル切替方法を説明する図である。図７は、このチャネル切替方法を説明するシーケンスを示す。
【００３５】
ここで、符号４０１は現在在圏している交換機のネットワークを示し、符号４０２は切り替え先の交換機のネットワークを示している。また、符号４１、４２、４３、４４は交換機の呼処理プロセッサを、符号４１１、４２１、４３１、４４１は接続制御部を、符号４１２、４２２、４３２、４４２はリソース管理部を、符号４１３、４２３、４３３、４４３はパス制御部をそれぞれ示す。また、符号４１４、４２４、４４４は基地局制御装置（ＢＣＥ）を、符号４１５、４２５、４４５は無線制御エリア（ＣＺ）を、符号４３６、４４６は交換機間を接続する共通線トランクを示す。
【００３６】
図７のシーケンスに基づいてチャネル切替動作を説明する。
【００３７】
無線制御エリア（ＣＺ＃３１）４２５に在圏して通信中の移動機が無線制御エリア（ＣＺ＃４１）４４５のゾーンに移動した場合、基地局制御装置４２４から基地局制御装置４４４に対して交換機ネットワーク（ＮＷ＃１）４０１，４０２交換機ネットワーク（ＮＷ＃２）４０２を介して空き無線チャネルの選択を要求する。
【００３８】
基地局制御装置４４４にて自無線制御エリア内の空きチャネルを１つ選択して基地局制御装置４２４へ通知する。基地局制御装置４２４では、選択されたチャネルへの切替を交換機のネットワークへ依頼する為に、現在呼制御を行っている呼処理プロセッサ４１の接続制御部４１１へ呼処理プロセッサ（＃３）４２を経由して新在圏エリアへのチャネル切替の要求を行う。この際に接続制御部４１１では切替先に指定された無線制御エリア（ＣＺ＃４１）の収容されるＮＷ番号が他交換機ＮＷ番号であることを局データから求めて他交換機ＮＷへのチャネル切替処理を開始する。
【００３９】
他交換機ＮＷへのチャネル切替処理において、接続制御部４１１では切り替え先のＮＷ向けの局間共通線トランクをリソース制御部４１２へ要求する。接続制御部４１１ではリソース管理部４１２から通話回線の捕捉結果として交換機ＮＷ内の収容位置情報及び捕捉した共通線トランクを収容する呼処理プロセッサ番号（＃４）を取得する。接続制御部４１１ではチャネル切替中の通話瞬断を防ぐ為に現在使用中の通話回線と新切替先として捕捉された通話回線（共通線トランク）をチャネル切替用のトランクを使用してマルチ接続とさせるパス接続要求をパス制御部４１３に対して行う。通話回線のマルチ接続状態が確立したら接続制御部４１１は交換機ＮＷ（＃２）４０２側へ移動機（ＣＺ＃４１）４４５間の新側無線チャネル確立を要求する為に共通線トランクを収容している呼処理プロセッサ（＃４）４３の接続制御部４３１に対して新側無線チャネル確立の実行指示を行う。
【００４０】
接続制御部４１１からの無線チャネル確立の指示により接続制御部４３１は交換機（ＮＷ＃２）４０２と接続している共通線トランクへＩＳＵＰ（ ISDN User Part )信号により接続制御部４４１への無線チャネル確立指示を要求する。接続制御部４４１では、交換機ＮＷ（＃１）４０１からＩＳＵＰ信号による無線チャネルの確立指示が起動されると、交換機（ＮＷ＃２）４０２内の共通線トランク４４６と無線制御エリア（ＣＺ＃４１）４４５内新側無線チャネルに対応する通話回線の捕捉要求をリソース管理部４４２に要求する。接続制御部４４１はリソース管理部４４２からの通話回線の捕捉結果として交換機ＮＷ内の収容位置情報を取得する。接続制御部４４１では通話回線の確立の為にパス制御部４４３に対して共通線トランクの通話回線と無線チャネル対応通話回線のパス接続を要求する。
【００４１】
通話回線のパスが確立したら、接続制御部４４１は基地局制御装置（ＢＣＥ＃４）４４４に対して無線チャネルの確立を要求する。基地局制御装置（ＢＣＥ＃４）４４４では無線制御エリア４４５に在圏している移動機と基地局制御装置間での無線チャネルの同期確立（無線チャネルの切替）を行う。切替が完了したら基地局制御装置（ＢＣＥ＃４）４４４は接続制御部４４１に対して無線チャネルの設定完了を通知する。接続制御部４４１は交換機ＮＷ（＃１）４０１側の接続制御部４３１に対してＩＳＵＰ信号により無線チャネルの設定完了を通知する。
【００４２】
接続制御部４３１は呼制御プロセッサである呼処理プロセッサ（＃１）４１の接続制御部４１１へ新側無線チャネルの切替が完了したことをプロセッサ間通信で通知する。接続制御部４１１は新側無線チャネルへの切替が完了したことで通話回線パス接続のマルチ接続の解除及び、新側通話回線のみへのパス切替をパス制御部４１３へ要求する。新側通話回線へのパス接続が完了後、基地局制御装置４２４に対して旧側無線チャネルの解放を行う為に旧在圏エリアを収容している呼処理プロセッサ（＃３）４２の接続制御部４２１に対して無線チャネルの解放の指示を行う。接続制御部４２１では基地局制御装置（ＢＣＥ＃３）４２４に対して旧無線チャネルの切断及びリソース管理部４２２に対して旧側通話回線の解放を要求する。以上により呼制御プロセッサ主導方式によるＮＷ間を跨るプロセッサ間チャネル切替が完了する。
【００４３】
なお、マルチプロセッサ方式の移動通信交換機に、プログラムをインストールすることにより上記実施例の交換機として動作させることができる。すなわち、呼処理プロセッサ＃１を呼制御プロセッサとし、他の呼制御プロセッサ＃２、＃３、＃４、＃５を切替元在圏呼処理プロセッサまたは切替先在圏呼処理プロセッサとして動作させて無線チャネル切替制御を実行させることができる。
【００４４】
このプログラムは記憶媒体に記憶させて交換機にインストールし、あるいは通信回線を介してインストールすることができる。
【００４５】
【発明の効果】
本発明により、交換機内で異なる呼処理プロセッサに収容される基地局間でも容易にプロセッサ間チャネル切替を行い通話を継続させることが可能となる。また、交換機内で収容プロセッサを跨って加入者（移動機）が移動したとしても、プロセッサ間チャネル切替制御は切替中は起呼を受け付けた呼制御プロセッサを基点とし切替元プロセッサ（旧在圏）と切替先プロセッサ（新在圏）の最大３プロセッサ、切替完了後は、呼制御プロセッサと在圏プロセッサの２プロセッサのプロセッサ間接続制御を行うのみで何度でも在圏プロセッサの切替が可能となった。この呼制御プロセッサを固定し在圏プロセッサを随時切り替えていく方式を採用したことにより交換機内部リソースの冗長利用と切替処理の複雑化を防ぎ、プロセッサ間の通信回数の削減により処理能力を低減できる。さらにエリア拡大、収容可能無線チャネル数を増大してトラヒックが増加したとしても、交換機内部リソースを有効に利用して処理負荷が増大することなくチャネル切替制御を行うことが可能となった。
【図面の簡単な説明】
【図１】本発明の交換機、基地局制御装置、無線制御エリアの関係を示す図。
【図２】本発明第一実施例のチャネル切替制御を説明する図。
【図３】第一実施例の動作を示すシーケンス。
【図４】第二実施例のチャネル切替制御を説明する図。
【図５】第二実施例の動作を示すシーケンス。
【図６】第三実施例のチャネル切替制御を説明する図。
【図７】第三実施例の動作を示すシーケンス。
【符号の説明】
１１、１２、２１、２２、３１、３２、３３、４１、４２、４３、４４呼処理プロセッサ
１３、１４  基地局制御装置
１５、１６  無線制御エリア
２１１、２２１、３１１、３２１、３３１、４１１、４２１、４３１、４４１接続制御部
２１２、２２２、３１２、３２２、３３２、４１２、４２２、４３２、４４２リソース管理部
２１３、２２３、３１３、３２３、３３３、４１３、４２３、４３３、４４３パス制御部
４０１、４０２  交換機ＮＷ
【図１】
0003686848.tif 000002
【図２】
0003686848.tif 000003
【図３】
0003686848.tif 000004
【図４】
0003686848.tif 000005
【図５】
0003686848.tif 000006
【図６】
0003686848.tif 000007
【図７】
0003686848.tif 000008